(57)【要約】  空気調和装置は、下部に吸込口が設けられ、上部に吹出口が設けられている室外機筐体を有する室外機を備え、前記室外機筐体の内部に、傾斜配置されている熱交換器と、前記熱交換器の下部に取り付けられ、空気が通過する穴が形成されている板金と、を有するものである。
2017145253.tif 000002
【特許請求の範囲】
【請求項１】
下部に吸込口が設けられ、上部に吹出口が設けられている室外機筐体を有する室外機を備えた空気調和装置であって、
前記室外機筐体の内部に、傾斜配置されている熱交換器と、
前記熱交換器の下部に取り付けられ、空気が通過する穴が形成されている板金と、
を有する
空気調和装置。
【請求項２】
前記熱交換器を３つ配置するものにおいて、
前記室外機筐体を側面視した状態において前記熱交換器はＮ字状に配置されている
請求項１に記載の空気調和装置。
【請求項３】
前記穴は、
前記板金の全体の大きさの５０％以下の開口率となっている
請求項１又は２に記載の空気調和装置。
【請求項４】
前記穴の形状は、
長円又は長方形である
請求項１〜３のいずれか一項に記載の空気調和装置。
【請求項５】
前記穴は、
空気の流れる側に向かって切り欠かれた切欠きを有している
請求項４に記載の空気調和装置。
【請求項６】
前記室外機筐体の内部における前記熱交換器の下部スペースにレシーバを配置した
請求項１〜５のいずれか一項に記載の空気調和装置。
【請求項７】
前記室外機筐体の内部における前記熱交換器の下部スペースにポンプを配置した
請求項１〜６のいずれか一項に記載の空気調和装置。
【発明の詳細な説明】
【技術分野】
【０００１】
本発明は、空気を下側から吸い込み、上側から吹き出す室外機を備えた空気調和装置に関するものである。
【背景技術】
【０００２】
従来、室外機と室内機とを連絡配管で接続し、連絡配管を通して室外機と室内機との間で冷媒を循環させるようにした空気調和装置が知られている。このような空気調和装置の室外機では、搭載されている室外熱交換器に供給する空気を下側から吸い込み、室外熱交換器を介して熱交換された空気を上側から吹き出す、いわゆる下吸上吹タイプの構造が知られている。また、このような空気調和装置の室外機では、熱交換器を立てて配置するために、熱交換器の下側に位置するフィンの高さのバラツキを抑えるために熱交換器の下側に板金が設けられている（例えば、特許文献１参照）。
【先行技術文献】
【特許文献】
【０００３】
【特許文献１】特開２０１４−１６３５３０号公報
【発明の概要】
【発明が解決しようとする課題】
【０００４】
特許文献１に示されているような空気調和装置の下吸上吹タイプの室外機は、省スペース及び高性能の両立を図るために熱交換器を立てて配置していた。しかしながら、熱交換器の下側に設置される板金は、板状の部材であり、熱交換器の前面を塞いでいる。熱交換器の前面とは、下吸上吹タイプの室外機において立てて配置されている熱交換器の下部に位置する面のことをいう。【０００５】
そのため、特許文献１に記載されているような空気調和装置では、熱交換器の下側に設置される板金による風路圧損が大きくなってしまい、風路圧損による性能低下という問題点があった。加えて、熱交換器を立てて配置しているため、熱交換器の前面の面積が減少することになっている。そのため、熱交換器の前面の面積減少による性能低下等の問題点があった。なお、この板金は強度部材ではないので、その他の機能はない。【０００６】
本発明は、上記のような課題を解決するためになされたもので、筐体内における風路圧損を抑え、熱交換器の前面の面積を拡大することで、省スペースと高性能の２つを両立させることのできる空気調和装置を提供することを目的としている。
【課題を解決するための手段】
【０００７】
本発明に係る空気調和装置は、下部に吸込口が設けられ、上部に吹出口が設けられている室外機筐体を有する室外機を備えた空気調和装置であって、前記室外機筐体の内部に、傾斜配置されている熱交換器と、前記熱交換器の下部に取り付けられ、空気が通過する穴が形成されている板金と、を有するものである。
【発明の効果】
【０００８】
本発明に係る空気調和装置によれば、熱交換器の下部に、空気が通過する穴が形成されている板金が取り付けられているので、風路圧損を抑えかつ熱交換器の前面面積を広くとることができ、省スペースと高性能の２つを両立させることができる。
【図面の簡単な説明】
【０００９】
【図１】本発明の実施の形態１に係る空気調和装置の室外機の概略構成例を示す斜視図である。
【図２】本発明の実施の形態１に係る空気調和装置の室外機を一側面から見た状態を示す概略側面図である。
【図３】本発明の実施の形態１に係る空気調和装置の室外機を下側から見た状態の一例を示す概略下面図である。
【図４】本発明の実施の形態１に係る空気調和装置の室外機を下側から見た状態の他の一例を示す概略下面図である。
【図５】本発明の実施の形態１に係る空気調和装置の室外機を下側から見た状態の更に他の一例を示す概略下面図である。
【図６】本発明の実施の形態２に係る空気調和装置の室外機を一側面から見た状態を示す概略側面図である。
【図７】本発明の実施の形態２に係る空気調和装置の室外機を下側から見た状態の一例を示す概略下面図である。
【発明を実施するための形態】
【００１０】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１１】
実施の形態１．
図１は、本発明の実施の形態１に係る空気調和装置の室外機１００の概略構成例を示す斜視図である。図２は、室外機１００を一側面から見た状態を示す概略側面図である。図３は、室外機１００を下側から見た状態の一例を示す概略下面図である。図４は、室外機１００を下側から見た状態の他の一例を示す概略下面図である。図５は、室外機１００を下側から見た状態の更に他の一例を示す概略下面図である。図１〜図５に基づいて、室外機１００について説明する。
【００１２】
図１に示すように、室外機１００は、下吸上吹タイプの室外機である。室外機１００は、外郭を構成する室外機筐体１を有している。室外機筐体１の内部には、３つの熱交換器５が傾斜した状態で立てて配置されている。つまり、熱交換器５は、室外機筐体１を側面視した状態においてＮ字状に配置されている。なお、熱交換器５は、上端部及び下端部が熱交換器支持部材により支持された状態で、室外機筐体１に取り付けられるようになっている。また、熱交換器５の中間分岐配管を熱交換器支持部材で支持してもよい。熱交換器支持部材は、室外機筐体１の内部に固定されて熱交換器５を支持するものであり、室外機筐体１内に梁のように設置される。
【００１３】
また、室外機筐体１の内部には、ファン４が熱交換器５の上方に位置するように配置されている。ここでは、ファン４が２つ配置されている状態を例に示しているが、ファン４の個数を特に限定するものではない。
【００１４】
図２に示すように、室外機筐体１の下部には空気の流入口となる吸込口２が設けられ、室外機筐体１の上部には空気の流出口となる吹出口３が設けられている。つまり、室外機筐体１の内部は、吸込口２から吹出口３に向かって流れる空気の風路となっている。室外機筐体１の風路の一部に、ファン４及び熱交換器５が設置されている。熱交換器５がファン４よりも上流側に設置されている。各熱交換器５の下部には、板金１０が取り付けられている。この板金１０は、熱交換器５の下側に位置するフィンのバラツキを抑えるために取り付けられている。
【００１５】
板金１０は、熱交換器５の下部に位置するフィンに接触するように取り付けられている。板金１０の全体の大きさは、３つの熱交換器５を室外機筐体１に配置する場合、０．３５ｍ２程度となっている。
板金１０には、空気が通過する穴１１が形成されている。穴１１は、板金１０の全体の大きさの５０％以下の開口率となっている。図３に示すように、穴１１は、長円形状に構成されている。
なお、板金１０の下部には、熱交換器５の自重を支えるための支柱があり、支柱がある部分には穴１１を開口形成しない。
【００１６】
板金１０に形成する穴１１の形状としては、図４に示すように、風路一次側に向かって切欠きのある長方形形状としてもよい。風路一次側とは、熱交換器５の空気の流れる側である。
また、板金１０に形成する穴１１は、図５に示すように、図３及び図４の穴１１の個数よりも増加させた個数としてもよい。
なお、図３〜図５に示す穴１１を適宜組み合わせてもよい。つまり、それぞれの穴１１の個数、形状及び大きさの設計を特に限定するものではない。ただし、図３又は図４に示すような長方形の方が、長円状より加工費は抑制される。
【００１７】
次に、室外機１００の作用について説明する。
このように構成された室外機１００では、ファン４が駆動することで空気が室外機筐体１の内部に流入することになる。室外機筐体１の吸込口２から室外機筐体１の内部に吸い込まれた空気は、室外機筐体１の内部に配置されている板金１０及び熱交換器５を通過する。この空気は、熱交換器５を通過する際に、熱交換器５を流れている冷媒と熱交換する。熱交換した空気は、ファン４を通過し、吹出口３を介して室外機筐体１の外部へと吹き出される。
【００１８】
ここで、３１０ｍ３／ｍｉｎの風量が室外機筐体１の内部を通過するものとし、元々の板金１０の面積が０．３５ｍ２であり、穴１１の全部の面積が０．０６８ｍ２とした場合を検討する。従来の板金は、熱交換器の下部の全部を塞いでいたが、板金１０には穴１１が形成されているため、熱交換器５の前面の面積が１．１％増えたことになる。具体的な例にすると、熱交換器５の前面面積を「積長１．６５ｍ×段幅１．２６ｍ×３枚＝６．２４ｍ２」とした場合、穴１１の面積０．０６８ｍ２がその１．１％になるということである。
【００１９】
このことにより熱交換器５の前面の風速が１．１％減ることになり、風路圧損が１．５％低下し、ファン４の入力が２．３％低下できる。さらに、板金１０の風下で風があたっていなかったフィンと伝熱管にも風があたるようになり、熱交換効率が約５％程度向上することを試験にて確認している。
【００２０】
実施の形態２．
図６は、本発明の実施の形態２に係る空気調和装置の室外機１００Ａを一側面から見た状態を示す概略側面図である。図７は、室外機１００Ａを下側から見た状態の一例を示す概略下面図である。図６及び図７に基づいて、室外機１００Ａについて説明する。なお、実施の形態２では実施の形態１との相違点を中心に説明し、実施の形態１と同一部分には、同一符号を付して説明を省略するものとする。
【００２１】
実施の形態１では、下吸上吹タイプの室外機１００に３つの熱交換器５を立てて配置した場合を例に説明したが、実施の形態２では、下吸上吹タイプの室外機１００Ａに１つの熱交換器５Ａを立てて配置した場合を例に説明する。
【００２２】
図６に示すように、室外機１００Ａは、下吸上吹タイプの室外機である。室外機１００Ａは、外郭を構成する室外機筐体１Ａを有している。室外機筐体１Ａの内部には、１つの熱交換器５Ａが傾斜した状態で立てて配置されている。また、室外機筐体１Ａの内部には、ファン４Ａが熱交換器５Ａの上方に位置するように配置されている。なお、ファン４Ａの個数を特に限定するものではない。
【００２３】
室外機筐体１Ａの下部には空気の流入口となる吸込口２Ａが設けられ、室外機筐体１Ａの上部には空気の流出口となる吹出口３Ａが設けられている。つまり、室外機筐体１Ａの内部は、吸込口２Ａから吹出口３Ａに向かって流れる空気の風路となっている。熱交換器５Ａがファン４Ａよりも上流側に設置されている。熱交換器５Ａの下部には、板金１０Ａが取り付けられている。この板金１０Ａは、熱交換器５Ａの下側に位置するフィンのバラツキを抑えるために取り付けられている。
【００２４】
また、室外機筐体１の下部には、レシーバ６が配置されている。レシーバ６は、実施の形態２に係る空気調和装置が有する冷媒回路に設置され、冷媒を一時的に貯留するものである。実施の形態２に係る空気調和装置が有する冷媒回路は、圧縮機、熱源側熱交換器（熱交換器５Ａ）、減圧装置、利用側熱交換器を冷媒が流れる冷媒配管で接続して構成される。
【００２５】
板金１０Ａは、熱交換器５Ａの下部に位置するフィンに接触するように取り付けられている。板金１０Ａの全体の大きさは、１つの熱交換器５を室外機筐体１に配置する場合、０．１２ｍ２程度となっている。
板金１０Ａには、空気が通過する穴１１Ａが形成されている。穴１１Ａは、板金１０Ａの全体の大きさの５０％以下の開口率となっている。図７に示すように、穴１１は、長円形状に構成されている。
なお、板金１０Ａの下部には、熱交換器５Ａの自重を支えるための支柱があり、支柱がある部分には穴１１Ａを開口形成しない。
【００２６】
板金１０Ａに形成する穴１１Ａの形状としては、実施の形態１で説明した図４に示すように、風路一次側に向かって切欠きのある長方形形状としてもよい。
また、板金１０Ａに形成する穴１１Ａは、実施の形態１で説明した図５に示すように、図７の穴１１Ａの個数よりも増加させた個数としてもよい。
なお、図３、図４、図７に示す穴１１Ａを適宜組み合わせてもよい。つまり、それぞれの穴１１Ａの個数、形状及び大きさ特に限定するものではない。ただし、図３又は図４に示すような長方形の方が、長円状より加工費は抑制される。
【００２７】
次に、室外機１００Ａの作用について説明する。
このように構成された室外機１００Ａでは、ファン４Ａが駆動することで空気が室外機筐体１Ａの内部に流入することになる。室外機筐体１Ａの吸込口２Ａから室外機筐体１の内部に吸い込まれた空気は、室外機筐体１Ａの内部に配置されている板金１０Ａ及び熱交換器５Ａを通過する。この空気は、熱交換器５Ａを通過する際に、熱交換器５Ａを流れている冷媒と熱交換する。熱交換した空気は、ファン４Ａを通過し、吹出口３Ａを介して室外機筐体１Ａの外部へと吹き出される。
【００２８】
ここで、１００ｍ３／ｍｉｎの風量が室外機筐体１Ａの内部を通過するものとし、元々の熱交換器５Ａの前面の面積が０．１２ｍ２であり、穴１１Ａの全部の面積が０．０２３ｍ２とした場合を検討する。従来の板金は、熱交換器の下部の全部を塞いでいたが、板金１０Ａには穴１１Ａが形成されているため、熱交換器５Ａの前面の面積が１．１％増えたことになる。
【００２９】
このことにより熱交換器５Ａの前面の風速が１．１％減ることになり、風路圧損が１．５％低下し、ファン４Ａの入力が２．３％低下できる。さらに、板金１０Ａの風下で風があたっていなかったフィンと伝熱管にも風があたるようになり、熱交換効率が約５％程度向上すると考えられる。
また、熱交換効率を向上できるため、室外機筐体１Ａの内部スペース、詳しくは熱交換器５Ａの下部スペースにレシーバ６を配置することも可能になる。
なお、ここでは、レシーバ６を例に説明しているが、冷媒を循環させる圧縮機、ポンプ等もレシーバ６と同様に、室外機筐体１Ａの内部スペースに配置することも可能になる。
【００３０】
実施の形態１では熱交換器５が３つの場合を説明し、実施の形態２では熱交換器５Ａが１つの場合を説明したが、熱交換器の個数を特に限定するものではない。
【符号の説明】
【００３１】
１  室外機筐体、１Ａ  室外機筐体、２  吸込口、２Ａ  吸込口、３  吹出口、３Ａ  吹出口、４  ファン、４Ａ  ファン、５  熱交換器、５Ａ  熱交換器、６  レシーバ、１０  板金、１０Ａ  板金、１１  穴、１１Ａ  穴、１００  室外機、１００Ａ  室外機。
【図１】
2017145253.tif 000003
【図２】
2017145253.tif 000004
【図３】
2017145253.tif 000005
【図４】
2017145253.tif 000006
【図５】
2017145253.tif 000007
【図６】
2017145253.tif 000008
【図７】
2017145253.tif 000009
【国際調査報告】
2017145253.tif 000010
2017145253.tif 000011
2017145253.tif 000012
2017145253.tif 000013